(57)【要約】      （修正有）【課題】人体に装置するベルトにテンションを可及的に加えベルト孔を固定したままで適度な締め付け力で装着を可能にしたベルト伸縮調整器具を提供する。【解決手段】人体の腹部に装着するベルトのバックル部とべルト部の間に連結してベルトの長さを伸縮調整する器具であって、当該ベルト伸縮調整器具を構成する本体部は帯状で伸縮が可能なゴム製で出来ていて、ベルト伸縮調整器具の両端部は形状を保持する為に金属片が埋入されており、一方の端部にはバックルが挿設され、市販のベルトをバックル部から切り離し、切り離したバックル部に当該ベルト伸縮調整器具の端部を挿入しバックルの爪部にて固定する、当該ベルト伸縮調整器具のバックル部に切り離したベルトの端部を挿入しベックルの爪部にて固定する。【選択図】図９
0003181467.tif 000002
【実用新案登録請求の範囲】
【請求項１】
人体の腹部に装着するベルトのバックル部とベルト部の間に連結してベルトの長さを伸縮調整するベルト伸縮調整器具であって、当該ベルト伸縮調整器具を構成する本体部は帯状で伸縮が可能なゴム製で出来ている、両端部には形状を保持する為に金属片A／Bが埋入されており、その端部には本体部とベルトを接続するためのバックルが押設されている、もう一方の端部はベルトのバックル部に直接に押設する構造である、市販のベルトをバックル部から切り離しその間に当該ベルト伸縮調整器具を接続する、当該ベルト伸縮調整器具の端部のバックル部に切り離したベルトの端部を挿設して接続し、このベルトを人体に装着する時本体部が伸張する様に調整し止め金を固定する事によりベルトに適度なテンションが加わり、空腹時と満腹時におけるベルトの締め直し等の必要がなく、ベルト孔を固定したままで適度な締め付け力での装着を可能する、ベルト伸縮調整器具。
【請求項２】
請求項1において、ベルト伸縮調整器具を構成する帯状で伸縮可能なゴム製の本体部の表面に複数のリブを形成した事を特徴とする、ベルト伸縮調整器具。
【請求項３】
請求項１において、ベルト伸縮調整器具の両端部に形状を保持する為に金属片A／Bが埋入されている、この金属片A／Bの端部の一部を露出させる、この金属片A／Bの両端部の露出部を２分割したベルトの端部に挿設し接着剤・ハトメ・リベット及び糸でベルトに固定し接続することでベルト伸縮調整器具とベルトの一体化を可能にした、ベルト伸縮調整機器具。
【考案の詳細な説明】
【技術分野】
【０００１】
本考案は調整器具に関し、更には詳細には人体の腹部に装着するベルトを伸縮させることで人体に適度な締め付け力を施す,べルト伸縮調整器具に関する。
【背景技術】
【０００２】
べルト全体をゴム網状にして伸縮出来る製品等が生産・販売されている。
【先行技術文献】
【特許文献】
【０００３】
【特許文献１】特開２００５−２４８３８７
【特許文献２】特開２００７−２４７０９８
【特許文献３】特開２０１０−０７０９００
【考案の概要】
【考案が解決しようとする課題】
【０００４】
ベルトには皮製・布製又は合成樹脂を素材とした物が市場に出回っている、これら製品は一部を除いて全て留め金にてその長さが調整後固定される構造である、食事後は腹部の周囲は伸び、運動後等は腹部の周囲は元に戻るか縮む傾向にあり、その都度ベルト孔を調整する必要が生じる、本考案の目的は市販されているベルトに簡単に連結してべルトの長さを伸縮可能にする、べルト伸縮調整器具を提供する事である。
【課題を解決するための手段】
【０００５】
本考案者は、前記目的を達成すべき検討を重ねた所、連結する器具の一部に張力を持った伸縮性のある素材を使用することで人体の腹部に可及的に締め付け力を加えることを見出し本考案に達した。
【考案の効果】
【０００６】
本考案は、人体の腹部に容易に締め付け力を加える事が出来る為、このベルト伸縮調整器具をベルトに連結する事でズボンのずり落ち等ない装着感が期待できる。
本考案は、人体の腹部にベルトを装着した際に、適度なテンションで腹部を締め付けるためにズボンのずり落ち防止の為にベルトの締め直しの必要が無い。
【図面の簡単な説明】
【０００７】
【図１】本考案の請求項１の実施例を示す本体部平面図。
【図２】本考案の請求項１の実施例を示す本体部正面図。
【図３】本考案の請求項１の実施例を示す本体部断面図。
【図４】本考案の請求項１の実施例を示す本体部の立体図。
【図５】本考案の請求項２の実施例を示す本体部の立体図。
【図６】本考案の請求項１の実施例を示すバックルの立体図。
【図７】本考案の請求項１の実施例を示す組み立て立体図。
【図８】本考案の請求項１の実施例を示すベルト伸縮調整器具の立体図。
【図９】本考案の請求項２の実施例を示すベルト伸縮調整器具の立体図。
【図１０】本考案の請求項１の実施例を示すベルトとベルト伸縮調整器具の連結図。
【図１１】本考案の請求項３の実施例を示す本体部の平面図。
【図１２】本考案の請求項３の実施例を示す本体部の正面図。
【図１３】本考案の請求項３の実施例を示す本体部の断面図。
【図１４】本考案の請求項３の実施例を示すベルト伸縮調整器具の完成立体図。
【図１５】本考案の請求項３に請求項２を施したベルト伸縮調整器具の実施例。
【図１６】本考案の請求項３に請求項２を施したベルト伸縮調整器具とベルトとの接続実施例。
【考案を実施するための形態】
【０００８】
本考案は、人体の腹部に装着するベルトのバックルとベルトの間に連結してベルトの長さを伸縮調整するベルト伸縮調整器具であって、当該ベルト伸縮調整器具の本体部は帯状で長さが調整できる伸縮可能なゴム製である、
本体部の両端には保形の為に金属片が埋入している、その一端部には本体部とベルトを接続する為にバックルが埋設されている、他の端部はベルトのバックル部に埋設する構造で、このベルト伸縮調整器具をベルトに連結使用することでベルトの締め直しの必要が無くベルト孔を固定したままで適度な締め付け力での装着を可能にするベルト伸縮調整器具。
【実施例】
【０００９】
本考案の実施例を図面によって更に説明する。
図１は本考案の請求項１の実施例を示す平面図である。
当該ベルト伸縮調整器具の本体部（１）は伸縮可能なシリコンゴム製である
図２は本考案の請求項１の実施例を示す正面図である。
図３は本考案の請求項１の実施例を示すA−A’断面図である。
その両端部には取り付け及び保形の為に金属片A（２）／B（３）が埋入されている、
図４は本考案の請求項１の実施例を示す本体部の立体図である。
図５は本考案の請求項２の実施例を示す本体部の立体図である。
図６は本考案の請求項1の実施例を示すバックル（１０）の立体図である。
バックル（１０）はボトム（５）とアッパー（６）によって構成されている、アッパー（６）の先端にはノコギリ状の爪部（７）が形成されている。
図７は本考案の請求項１の実施例を示す本体部（１）とバックル（９）との組み立て立体図である。
バックル（１０）の端部に本体部（１）の端部を挿設しネジ（７）にて取り付ける。
図８は本考案の請求項１の実施例を示すベルト伸縮調整器具の立体図である。
図９は本考案の請求項２の実施例を示すベルト伸縮調整器具の立体図である。
図１０は本考案の請求項１の実施例を示すベルトとベルト伸縮調整器具の連結立体図である。ベルトをベルトとバックル部に分離し、分離したベルトのバックル部（１５）に当該ベルト伸縮調整器具の端部を挿設しバックルの爪部（７）によって固定する、ベルト伸縮調整器具のバックル部（１０）に取り外したベルトの端部を挿設して爪部（７）によって固定する。
図１１は本考案の請求項３の実施例を示すベルト伸縮調整器具（１１）
の平面図。
図１２は本考案の請求項３の実施例を示すベルト伸縮調整器具（１７）の正面図。
図１３は本考案の請求項３の実施例を示すベルト伸縮調整器具（１１）のB−B’断面図である。
図１４は本考案の請求項３のベルト伸縮調整器具（１１）の立体図である。
ベルト伸縮調整器具（１１）の両端には金属片A／Bの一部が露出している。
図１５は本考案の請求項３に請求項２のを施したベルト伸縮調整器具（１２）の立体図である。
図１６は本考案の請求項３のベルト伸縮調整器具（１２）と２分割したベルト（１４）との連結図である。
ベルト（１３）にベルト伸縮調整器具（１２）の露出した金属片Aを挿設し接着剤・リベット・ハトメ又は糸などで固定する、もう一方の金属片Bは２分割した他のベルト（１４）の端部に挿設し、接着剤・ハトメ・リベット又は糸にて固定し、ベルト（１３），（１４）とベルト伸縮調整器具（１２）を一体化する、この一体化したベルトを人体に装着する事により腹部に対して適度な締め付け力を可及的に加える事を可能にしたベルト伸縮調整器具。
【符号の説明】
【００１０】
１：請求項１のベルト伸縮調整器具
２：請求項１の金属片A
３：請求項１の金属片B
４：請求項一に請求項２を施したベルト伸縮調整器具
５：請求項１のバックルのボトム
６：請求項１のバックルのアッパー
７：バックルアッパーの爪部
８：請求項１の当該運動器具
９：M２皿ネジ
１０：バックル
１１：請求項３のベルト伸縮調整器具
１２：請求項３に請求項２を施したベルト伸縮調整器具
１３：請求項３の２分割したベルトA
１４：請求項３の２分割したベルトB
１５：請求項１のベルトのバックル部
１６：請求項１のベルト
１７：請求項に請求項２を施したベルト伸縮調整器具
【図１】
0003181467.tif 000003
【図２】
0003181467.tif 000004
【図３】
0003181467.tif 000005
【図４】
0003181467.tif 000006
【図５】
0003181467.tif 000007
【図６】
0003181467.tif 000008
【図７】
0003181467.tif 000009
【図８】
0003181467.tif 000010
【図９】
0003181467.tif 000011
【図１０】
0003181467.tif 000012
【図１１】
0003181467.tif 000013
【図１２】
0003181467.tif 000014
【図１３】
0003181467.tif 000015
【図１４】
0003181467.tif 000016
【図１５】
0003181467.tif 000017
【図１６】
0003181467.tif 000018